(57)【要約】【課題】応力が集中する箇所を低減しつつ、座り心地を向上することができる椅子を提供する。【解決手段】着座者が座る着座部２１及び着座部２１の奥行き方向の後端側から立設する背凭れ部２２を有する背座部材２と、椅子１の高さ方向の上部が肘掛けとなる脚部３１ａ、３１ｂが背座部材２の左右位置に配置された左右肘脚部材３と、を備える椅子であって、脚部３２ａと脚部３２ｂを座受け部材４で連結し、座受け部材４が着座部２１を下方側から支持する。【選択図】図１
2015085132.tif 000002
【特許請求の範囲】
【請求項１】
着座者が座る着座部及び前記着座部の奥行き方向の後端側から立設する背凭れ部を有する背座部材と、前記椅子の高さ方向の上部が肘掛けとなる脚部が前記背座部材の左右位置に配置された左右肘脚部材と、を備える椅子であって、
前記左右肘脚部材同士を座受け部材で連結し、
前記座受け部材が前記着座部を下方側から支持することを特徴とする椅子。
【請求項２】
前記着座部の下方位置で前記左右肘脚部材が物品載置構造により連結されていることを特徴とする請求項１に記載の椅子。
【請求項３】
前記左右肘脚部材の下方側端部が前記物品載置構造と一体化されていることを特徴とする請求項２に記載の椅子。
【請求項４】
前記背凭れ部の最大湾曲状態時における前記左右肘脚部材の上端部に対応する高さ位置において、前記背凭れ部が前記左右肘脚部材よりも前方側に位置することを特徴とする請求項１から請求項３のいずれか１項に記載の椅子。
【請求項５】
前記左右肘脚部材は、側面形が略矩形状に形成されていることを特徴とする請求項１から請求項４のいずれか１項に記載の椅子。
【発明の詳細な説明】
【技術分野】
【０００１】
本発明は、ロビーやラウンジ等で使用される椅子に関する。
【背景技術】
【０００２】
従来から、ロビーやラウンジ等で使用される一人掛け用の椅子が知られている。このような椅子は、着座者が座る着座部材と、着座者が凭れかかる背凭れ部材と、着座部材を支持する脚部材と、着座者が肘を載せる肘掛部材等の各部材が別々に構成されており、これらの部材を接合して椅子を構成している。
【０００３】
しかしながら、上記複数の部材を接合することにより椅子を構成すると、この接合部分に応力が集中して椅子の強度が低下するという問題が発生する。そこで、脚部と肘掛部を側面形が板状の一部材で成型した一対の脚部材を用いることにより接合部分を減らし、応力が集中する箇所を低減した椅子が提案されている（例えば、特許文献１参照）。
【先行技術文献】
【特許文献】
【０００４】
【特許文献１】特開２０１１−１２５６１６号公報
【発明の概要】
【発明が解決しようとする課題】
【０００５】
ところで、上記特許文献１に記載された椅子では、着座部材と背凭れ部材が一対の脚部材に固定されているため、着座者が背凭れ部材に凭れかかった際に背凭れ部材の撓み変形が許容されず、背凭れ部材の撓み変形を許容して座り心地を向上したいという要望があった。
【０００６】
そこで、本発明の課題は、応力が集中する箇所を低減しつつ、座り心地を向上することができる椅子を提供することにある。
【課題を解決するための手段】
【０００７】
上記課題を解決するために本願請求項１に記載した本発明の椅子は、着座者が座る着座部及び前記着座部の奥行き方向の後端側から立設する背凭れ部を有する背座部材と、前記椅子の高さ方向の上部が肘掛けとなる脚部が前記背座部材の左右位置に配置された左右肘脚部材と、を備える椅子であって、前記左右肘脚部材同士を座受け部材で連結し、前記座受け部材が前記着座部を下方側から支持することを特徴とする。
【０００８】
請求項２に記載した本発明の椅子は、請求項１に記載の椅子において、前記着座部の下方位置で前記左右肘脚部材が物品載置構造により連結されていることを特徴とする。
【０００９】
請求項３に記載した本発明の椅子は、請求項２に記載の椅子において、前記左右肘脚部材の下方側端部が前記物品載置構造と一体化されていることを特徴とする。
【００１０】
請求項４に記載した本発明の椅子は、請求項１から請求項３のいずれか１項に記載の椅子において、前記背凭れ部の最大湾曲状態時における前記左右肘脚部材の上端部に対応する高さ位置において、前記背凭れ部が前記左右肘脚部材よりも前方側に位置することを特徴とする。
【００１１】
請求項５に記載した本発明の椅子は、請求項１から請求項４のいずれか１項に記載の椅子において、前記左右肘脚部材は、側面形が略矩形状に形成されていることを特徴とする。
【００１２】
請求項１に記載した本発明の椅子によれば、左右肘脚部材同士を連結する座受け部材が着座部を下方側から支持しているため、背凭れ部を湾曲させることが可能となり、着座者の座り心地を向上することができる。
【００１３】
また、左右肘脚部材同士を連結する座受け部材により着座部を下方側から支持するため、椅子を構成する部材点数を削減することができる。このように、部材点数を削減することにより部材同士の接合部分を減らすことができるため、応力が集中する箇所を低減することができる。
【００１４】
請求項２に記載した本発明の椅子によれば、左右肘脚部材が着座部の下方位置で物品載置構造により連結されているため、荷物を収容する空間として着座部の下方側を有効に活用することができる。
【００１５】
請求項３に記載した本発明の椅子によれば、左右肘脚部材の下方側端部が物品載置構造と一体化されているため、荷物を収容する空間を大きく確保することができる。また、左右肘脚部材の下方側端部を物品載置構造と一体化することにより、脚部や物品載置構造を構成する部材点数を削減してさらに応力が集中する箇所を低減することができる。
【００１６】
請求項４に記載した本発明の椅子によれば、背凭れ部の最大湾曲状態時における左右肘脚部材の上端部に対応する高さ位置では、背凭れ部が左右肘脚部材よりも前方側に位置するため、背凭れ部を湾曲させた際に着座者が背凭れ部と左右肘脚部材との間に指や腕を挟むことを防止し安全性を確保することができる。
【００１７】
請求項５に記載した本発明の椅子によれば、左右肘脚部材の側面形を略矩形状に形成することにより、脚部の部材点数を削減してさらに応力が集中する箇所を低減することができる。
【発明の効果】
【００１８】
本発明によれば、応力が集中する箇所を低減しつつ、座り心地を向上することができる椅子を提供することができる。
【図面の簡単な説明】
【００１９】
【図１】本発明の実施形態に係る椅子を示す斜視図である。
【図２】本発明の実施形態に係る椅子の上面図、正面図、側面図を示す平面図である。
【図３】本発明の実施形態に係る座受け部材を示す斜視図である。
【図４】本発明の実施形態に係る背凭れ部の湾曲状態を示す側面図である。
【図５】本発明の他の実施形態に係る椅子を示す斜視図である。
【図６】本発明の他の実施形態に係る椅子の側面図を示す平面図である。
【発明を実施するための形態】
【００２０】
以下、本発明の実施形態について図面を参照して説明する。はじめに、図１及び図２を参照して本発明の実施形態に係る椅子の概略構成について説明する。
【００２１】
なお、図１は、本発明の実施形態に係る椅子を示す斜視図である。図２（ａ）は、本発明の実施形態に係る椅子を示す上面図である。図２（ｂ）は、本発明の実施形態に係る椅子を示す正面図である。図２（ｃ）は、本発明の実施形態に係る椅子を示す側面図である。
【００２２】
以下、本発明の椅子の一例として、ロビーやラウンジ、ラーニングコモンズ、待合スペース等での使用に最適で荷物を収容するスペースが設けられた一人掛け用の椅子の場合について説明する。
【００２３】
［１．椅子の構成］
図１及び図２に示すように、本発明の実施形態に係る椅子１は、着座者が座り凭れ掛かることが可能な背座部材２と、背座部材２の左右位置に配置された左右肘脚部材３と、左右肘脚部材３を連結する座受け部材４（後述する図３参照）とから略構成されている。
【００２４】
背座部材２は、着座者が座る着座部２１と、着座部２１の奥行き方向（矢印Ｄ方向）の後端側（矢印Ｒ側）から立設して着座者が凭れ掛かることが可能な背凭れ部２２を有している。
【００２５】
着座部２１と背凭れ部２２とは、一枚の合板を曲げ成形することにより着座部２１と背凭れ部２２が一体的に成型されている。
【００２６】
左右肘脚部材３は側面形が略矩形形状に形成されており、椅子１の高さ方向（矢印Ｈ方向）の上部（矢印Ｔ近傍）に形成された左右一対の肘掛部３１ａ、３１ｂと、背座部材２の左右（矢印Ｓ方向の一方側と他方側）に配置された一対の脚部３２ａ、３２ｂと、椅子１に着座する着座者の荷物を載置可能な物品載置部３３を有している。
【００２７】
左右肘脚部材３は、一枚の合板を曲げ成形することにより一対の肘掛部３１ａ、３１ｂ、一対の脚部３２ａ、３２ｂ、物品載置部３３が一体的に成型されており、一対の肘掛け部３１ａ、３１ｂは、着座者が肘を載せることが可能なように左右肘脚部材３の上部（矢印Ｔ近傍）を椅子１の外側に折り曲げ成形することにより構成されている。
【００２８】
一対の脚部３２ａ、３２ｂは、着座部２１の下方位置（矢印Ｌ近傍）で物品載置部３３によりそれぞれ連結されている。詳細には、一枚の合板を曲げ成形することにより、一対の脚部３２ａ、３２ｂの下方側端部（矢印ＬＳ１と矢印ＬＳ２）が板状に成型された物品載置部３３と一体化されている。
【００２９】
物品載置部３３には、床面と接するアジャスター３４と、物品載置部３３とアジャスター３４の間に設けられたフラットバー３５と、アジャスター３４を物品載置部３３に固定するための載置部側化粧ナット３６を有している。
【００３０】
アジャスター３４はボルト形状を有しており（図示省略）、アジャスター３４を時計回り又は反時計回りに回すことによりフラットバー３５から突出する量を調整して椅子１の高さ及び着座部２１の水平状態を調整可能に設けられている。
【００３１】
このように、本発明の実施形態に係る椅子１は、一枚の合板を曲げ成形することにより着座部材２１と背凭れ部２２を有する背座部材２と、一枚の合板を曲げ成形することにより一対の肘掛部３１ａ、３１ｂと、一対の脚部３２ａ、３２ｂと、物品載置部３３を有する左右肘脚部材３の二枚の合板で成型されている。
【００３２】
［２．座受け部材の構成］
次に、図３を参照して、着座部２１を支持する座受け部材４の構成について説明する。図３は、本発明の実施形態に係る座受け部材の概略を示す斜視図及び一部拡大図である。
【００３３】
座受け部材４は、一対の左右肘脚部材３を連結する連結管４１と、連結管４１の両端部（矢印Ｅ１側及び矢印Ｅ２側）に配置されるＬ金具４２と、Ｌ金具４２を介して連結管４１を着座部２１の裏面側（矢印Ｂ方向側）に固定する着座部側化粧ナット４３とから略構成されている。
【００３４】
このように、連結管４１により一対の左右肘脚部材３を連結し、一対の左右肘脚部材３を連結している連結管４１を着座部２１の裏面側（矢印Ｂ方向側）に固定することで座受け部材４により着座部２１を支持する。
【００３５】
［３．着座部材の位置］
次に、図４を参照して、本発明の実施形態に係る背座部材２の位置について説明する。図４は、本発明の実施形態に係る背凭れ部の湾曲状態を示す側面図である。
【００３６】
上述したように、背座部材２は一枚の合板を曲げ成形することにより着座部材２１と背凭れ部２２が成型され、座受け部材４により着座部２１を支持しているため、図４に示すように、背凭れ部２２が非湾曲状態時Ｗ１から最大湾曲状態時Ｗ２まで湾曲する。
【００３７】
つまり、背凭れ部２２は、左右肘脚部材３に固定されていないことから、背座部材２に適度な弾性変形を持たせることができ、着座者が背凭れ部２２に凭れ掛かると背座部材２が撓み変形して背凭れ部２２が湾曲する。
【００３８】
そして、本発明の実施形態に係る椅子１では、背凭れ部２２の最大湾曲状態時Ｗ２における左右肘脚部材３の上端部（矢印ＵＥ近傍）に対応する高さ位置（矢印ＨＰの位置）において、背凭れ部２２が左右肘脚部材３からはみ出ることがないように背凭れ部２２が左右肘脚部材３よりも前方側（矢印Ｆ側）に位置するように着座部２１を座受け部材４により支持する。
【００３９】
つまり、背凭れ部２２の最大湾曲状態時Ｗ２において、背凭れ部２２の高さ位置（矢印ＨＰの位置）と左右肘脚部材３との間に隙間が形成されない位置で着座部２１を座受け部材４により支持している。
【００４０】
［４．他の実施形態］
次に、図５及び図６を参照して、本発明の他の実施形態に係る椅子について説明する。図５は、本発明の他の実施形態に係る椅子の概略を示す斜視図である。図６（ａ）及び図６（ｂ）は、本発明の他の実施形態に係る椅子の側面図を示す平面図である。
【００４１】
なお、本発明の他の実施形態に係る椅子は、本発明の実施形態に係る椅子と略同様の構成等を有するため、同様の構成に関しては、説明を省略するものとする。また、実施形態に係る椅子と同様の構成要素には同一の符号を付して説明する。
【００４２】
図５に示すように、本発明の他の実施形態に係る椅子１００として、着座部２１に座パット５１を取り付けてさらに座り心地を向上してもよい。
【００４３】
また、上述した本発明の実施形態では、物品載置部３３にはアジャスター３４が固定されている場合について説明したが、椅子１００の移動を容易するため、また、着座者が椅子１００に座ったまま身体の向きを変えることが可能なように、図５に示すようにキャスター５２を物品載置部３３に固定してもよい。
【００４４】
さらに、上述した本発明の実施形態では、椅子１の左右肘脚部材３は側面形が略矩形形状に形成されている場合について説明したが、椅子１０１の側面形を略平行四辺形形状に形成してもよい。特に、図６（ａ）に示すように、着座部２１に着座する着座者の前方側に１辺が傾斜するように形成することにより、着座者が着座部２１に着座した際に着座者の足が位置する足置きスペースＦＤを広くすることができる。
【００４５】
また、図６（ｂ）に示すように、椅子１０２の側面形を略台形形状に形成してもよい。このように側面形を台形形状に形成することにより、背凭れ部２２側のアジャスター３４が着座者の後方側に位置するため、着座者が背凭れ部２２に加重を加えた際の転倒を防止することができる。
【００４６】
［５．作用効果］
このようにして、本発明の実施形態に係る椅子１、１００、１０１、１０２は、着座者が座る着座部２１及び着座部２１の奥行き方向（図１の矢印Ｄ方向）の後端側（図１の矢印Ｒ側）から立設する背凭れ部２２を有する背座部材２と、椅子１、１００、１０１、１０２の高さ方向（図２（ｂ）の矢印Ｈ方向）の上部（図１の矢印Ｔ近傍）が肘掛けとなる脚部３１ａ、３１ｂが背座部材２の左右位置（矢印Ｓ方向の一方側と他方側）に配置された左右肘脚部材３と、を備える椅子１、１００、１０１、１０２であって、左右肘脚部材同士（脚部３２ａ、脚部３２ｂ同士）を座受け部材４で連結し、座受け部材４が着座部２１を下方側（図３の矢印Ｂ方向側）から支持する。
【００４７】
また、本発明の実施形態に係る椅子１、１００、１０１、１０２は、着座部２１の下方位置（図１の矢印Ｌ近傍）で左右肘脚部材３が物品載置構造（物品載置部３３）により連結されている。
【００４８】
さらに、本発明の実施形態に係る椅子１、１００、１０１、１０２は、左右肘脚部材３の下方側端部（図１の矢印ＬＳ１及び矢印ＬＳ２）が物品載置構造（物品載置部３３）と一体化されている。
【００４９】
また、本発明の実施形態に係る椅子１、１００、１０１、１０２は、背凭れ部２２の最大湾曲状態時Ｗ２における左右肘脚部材３の上端部（図４の矢印ＵＥ近傍）に対応する高さ位置（図４の矢印ＨＰの位置）において、背凭れ部２２が左右肘脚部材３よりも前方側（図４の矢印Ｆ側）に位置する。
【００５０】
さらに、本発明の実施形態に係る椅子１、１００、１０１、１０２は、左右肘脚部材３の側面形が略矩形状に形成されている。
【００５１】
そして、本発明の実施形態に係る椅子１、１００、１０１、１０２によれば、左右肘脚部材３同士（脚部３２ａ、脚部３２ｂ同士）を連結する座受け部材４が着座部２１を下方側（図３の矢印Ｆ方向側）から支持しているため背凭れ部２２を湾曲させることが可能となり、着座者の座り心地を向上することができる。
【００５２】
つまり、上述したように椅子１、１００、１０１、１０２は、一枚の合板を曲げ成形することにより着座部材２１と背凭れ部２２を有する背座部材２が成型されている。そして、座受け部材４が着座部２１を下方側（図３の矢印Ｆ方向側）から支持しているため、背凭れ部２２が左右肘脚部材３に固定されていないことから、背座部材２に適度な弾性変形を持たせることができ、着座者が背凭れ部２２に凭れ掛かると背座部材２が撓み変形して背凭れ部２２が湾曲する。このように、背凭れ部２２を湾曲させることを可能とすることにより着座者の座り心地を向上することができる。
【００５３】
また、左右肘脚部材同士（脚部３２ａ、脚部３２ｂ同士）を座受け部材４で連結するため、左右肘脚部材同士（脚部３２ａ、脚部３２ｂ同士）の離間寸法を安定して保つことが可能となり、肘掛け部３１ａ、３１ｂ及び脚部３２ａ、脚部３２ｂに着座者の力が加わった際の補強となる。
【００５４】
また、本発明の実施形態に係る椅子１、１００、１０１、１０２によれば、左右肘脚部材同士（脚部３２ａ、脚部３２ｂ同士）を連結する座受け部材４により着座部２１を下方側（図３の矢印Ｆ方向側）から支持するため、椅子を構成する部材点数を削減することができる。
【００５５】
上述したように椅子１、１００、１０１、１０２は、一枚の合板を曲げ成形することにより着座部材２１と背凭れ部２２を有する背座部材２と、一枚の合板を曲げ成形することにより一対の肘掛部３１ａ、３１ｂと、一対の脚部３２ａ、３２ｂと、物品載置部３３を有する左右肘脚部材３の二枚の合板で成型されているため、部材点数を削減することができる。
【００５６】
また、左右肘脚部材同士（脚部３２ａ、脚部３２ｂ同士）を着座部２１の下方側（図３の矢印Ｆ方向側）で一体に連結しているため、椅子１、１００、１０１、１０２を構成する部材点数を削減することができるとともに椅子１、１００、１０１、１０２の組み立て工数を削減することができる。また、部材点数を削減することにより部材同士の接合箇所を減らすことができるため、応力が集中する箇所を低減することができる。
【００５７】
従って、応力が集中する箇所を低減しつつ、座り心地を向上することができる椅子１、１００、１０１、１０２を提供することができる。
【００５８】
さらに、本発明の実施形態に係る椅子１、１００、１０１、１０２によれば、左右肘脚部材３が着座部２１の下方位置（図１の矢印Ｌ近傍）で物品載置部３３により連結されているため、荷物を収容する空間として着座部２１の下方側に形成された荷物収容空間ＳＰを有効に活用することができる。
【００５９】
また、上述したように、物品載置部３３は板状に成型されているため荷物を載置する場所として有効な面積を確保することができる。
【００６０】
また、本発明の実施形態に係る椅子１、１００、１０１、１０２によれば、左右肘脚部材３の下方側端部（図１の矢印ＬＳ１と矢印ＬＳ２）が物品載置部３３と一体化されているため、荷物を収容する荷物収容空間ＳＰを大きく確保することができる。また、左右肘脚部材３の下方側端部（図１の矢印ＬＳ１と矢印ＬＳ２）を物品載置部３３と一体化することにより、脚部３２ａ、３２ｂや物品載置部３３を構成する部材点数を削減してさらに応力が集中する箇所を低減することができる。
【００６１】
上述したように、椅子１、１００、１０１、１０２は一枚の合板を曲げ成形することにより一対の肘掛部３１ａ、３１ｂ、一対の脚部３２ａ、３２ｂ、物品載置部３３を有する左右肘脚部材３が成型されているため、荷物収容空間ＳＰ大きく確保することができる。
【００６２】
また、椅子１、１００、１０１、１０２は一枚の合板を曲げ成形することにより成型した背座部材２と、一枚の合板を曲げ成形することにより成型した左右肘脚部材３の二枚の合板で構成されている。このため、肘掛け部３１ａ、３１ｂ、及び、荷物収容空間ＳＰを確保しつつ部材点数を削減してさらに応力が集中する箇所を低減することができる。
【００６３】
さらに、本発明の実施形態に係る椅子１、１００、１０１、１０２によれば、背凭れ部２２の最大湾曲状態時Ｗ２における左右肘脚部材３の上端部（図４の矢印ＵＥ近傍）に対応する高さ位置（図４の矢印ＨＰの位置）では、背凭れ部２２が左右肘脚部材３よりも前方側（図４の矢印Ｆ側）に位置するため、背凭れ部２２を湾曲させた際に着座者が背凭れ部２２と左右肘脚部材３との間に指や腕を挟むことを防止し安全性を確保することができる。
【００６４】
また、本発明の実施形態に係る椅子１、１００、１０１、１０２によれば、左右肘脚部材３（脚部３２ａ、脚部３２ｂ）の側面形を略矩形状に形成することにより、脚部３２ａ、３２ｂの部材点数を削減してさらに応力が集中する箇所を低減することができる。
【００６５】
上述したように椅子１、１００、１０１、１０２は、一枚の合板を曲げ成形することにより一対の肘掛部３１ａ、３１ｂ、一対の脚部３２ａ、３２ｂを有する矩形形状の左右肘脚部材３が成型されているため、一対の肘掛部３１ａ、３１ｂ、及び、一対の脚部３２ａ、３２ｂを構成する部材点数を削減してさらに応力が集中する箇所を低減することができる。
【００６６】
また、上述したように椅子１、１００、１０１、１０２は、一枚の合板を曲げ成形することにより、着座部２１の下方位置（図１の矢印Ｌ近傍）に着座者の荷物を収容する荷物収容空間ＳＰ（図１参照）を設けている。このため、左右肘脚部材３（脚部３２ａ、脚部３２ｂ）の側面形を略矩形状に形成することにより、荷物収容空間ＳＰに収容した荷物は側面側（例えば図１の矢印ＳＤ側）からの視線を遮断することができる。
【００６７】
このように、荷物収容空間ＳＰに収容した荷物に対して左右肘脚部材３により側面側からの視線を遮断することにより、着座者のプライベートを確保することができ、また視線を遮断することによりセキュリティーを向上することができる。
【００６８】
また、左右肘脚部材３（脚部３２ａ、脚部３２ｂ）の側面形を略矩形状に形成することにより、肘掛け部３１ａ、３１ｂ及び脚部３２ａ、脚部３２ｂに着座者の力が加わった際の補強ともなる。
【００６９】
なお、椅子１、１００、１０１、１０２の高さ（図２（ｂ）の矢印Ｈ方向）は、ロビーやラウンジ、ラーニングコモンズ、待合スペース等の空間を圧迫することがない高さ、例えば、ロビーやラウンジ、ラーニングコモンズ、待合スペース等で使用される机（図示省略）の高さと略同等の高さとすることにより、机より背凭れ部２２が高くならないようにすることが望ましい。
【００７０】
また、背凭れ部２２を机より高くならない高さ、つまり背凭れ部２２の高さを低く設計することにより、着座者が椅子１、１００、１０１、１０２に座ったまま後方へ身体を振り向きやすくすることができる。
【００７１】
以上、本発明の椅子を図示の実施形態に基づいて説明したが、本発明はこれに限定されるものではなく、各部の構成は、同様の機能を有する任意の構成のものに置き換えることができる。
【００７２】
例えば、上述した実施形態では、一人掛け用の椅子１の場合について説明したが、一人掛け用に限定されず、二人掛け用や三人掛け用等に適宜変更が可能である。
【００７３】
また、上述した実施形態では、一対の肘掛け部３１ａ、３１ｂは、上部（図１の矢印Ｔ近傍）が椅子１の外側に折り曲げ成形されている場合について説明したが、着座者が肘を置くことが可能な形状であれば適宜変更が可能である。
【００７４】
さらに、上述した実施形態では、物品載置部３３は、一対の脚部３２ａ、３２ｂの下方側端部（図１の矢印ＬＳ１と矢印ＬＳ２）に設けられている場合について説明したが、着座部２１の下方位置（図１の矢印Ｌ近傍）であれば適宜変更が可能である。
【００７５】
また、上述した実施形態では、物品載置部３３が板状である場合について説明したが、荷物を載置できる形状であれば、網形状や所定の模様が形成されている物品載置部３３であってもよい。
【００７６】
さらに、上述した実施形態では、椅子１の左右肘脚部材３の側面形が略矩形形状に形成されている場合について説明したが、側面形が平行四辺形、台形等の他の形状に適宜変更が可能である。
【符号の説明】
【００７７】
１              椅子
２              背座部材
３              左右肘脚部材
４              座受け部材
２１            着座部
２２            背凭れ部
３１ａ、３１ｂ  肘掛部
３２ａ、３２ｂ  脚部
３３            物品載置部
３４            アジャスター
３５            フラットバー
３６            載置部側化粧ナット
４１            連結管
４２            Ｌ金具
４３            着座部側化粧ナット
５１            座パット（他の実施形態）
５２            キャスター（他の実施形態）
１００          椅子（他の実施形態）
１０１          椅子（他の実施形態）
１０２          椅子（他の実施形態）
【図１】
2015085132.tif 000003
【図２】
2015085132.tif 000004
【図３】
2015085132.tif 000005
【図４】
2015085132.tif 000006
【図５】
2015085132.tif 000007
【図６】
2015085132.tif 000008